(57)【要約】ディジタル・フォト・アルバム（９０１）は、取外し可能な画像改善カード上にあらかじめプログラムされた１セットの特性によって与えられる画像改善手段を持ち、また表示画面（９０４）に接続された本体部（９０２）を含む。本体（９０２）は、ディジタル・フォト・アルバムを動作させるための制御回路と、表示された画像を印刷するための内蔵プリンタ（５００）とを収容する。このプリンタ（５００）は、取外し可能なインク／印刷媒体カートリッジ（５０４）を持っており、表示画像に等しいサイズの画像を印刷する。
2004524737.tif 000002
【特許請求の範囲】
【請求項１】
ディジタル画像記憶手段と、記憶した画像を修正する手段と、修正された画像を電子的に表示するための画像表示手段と、修正された画像を印刷するための内蔵プリンタ手段と、ユーザが前記画像記憶手段に記憶された修正画像を選択的に表示して印刷することを可能にする画像制御手段と、を含むディジタル・フォト・アルバム。
【請求項２】
画像は、あらかじめプログラムされた１セットの特性にしたがって修正される、請求項１に記載のディジタル・フォト・アルバム。
【請求項３】
前記あらかじめプログラムされた１セットの特性は取外し可能な媒体に記憶されており、前記ディジタル・フォト・アルバムは前記取外し可能な媒体から前記１セットの特性を検索するための手段を更に含む、請求項２に記載のディジタル・フォト・アルバム。
【請求項４】
前記画像表示手段に接続されており、前記プリンタ手段と前記ディジタル画像記憶手段とを収容する本体を含む、請求項１に記載のディジタル・フォト・アルバム。
【請求項５】
前記ディジタル画像記憶手段は前記本体から取外し可能である、請求項４に記載のディジタル・フォト・アルバム。
【請求項６】
前記プリンタ手段は印刷媒体供給源を含む、請求項４に記載のディジタル・フォト・アルバム。
【請求項７】
前記本体は、前記印刷媒体および／またはインク・カートリッジを含む前記プリンタ手段の一部を取外し可能にする解放可能なカバー部を含む、請求項６に記載のディジタル・フォト・アルバム。
【請求項８】
前記本体は、前記プリンタ手段を動作させるための手段を含む制御パネルを含む、請求項４に記載のディジタル・フォト・アルバム。
【請求項９】
前記プリンタ手段は、前記ディジタル・フォト・アルバムが水平面に置かれたときに前記制御パネルが水平面に対して傾斜するように前記本体内に配置される、請求項８に記載のディジタル・フォト・アルバム。
【請求項１０】
表示される画像のサイズと前記プリンタ手段によって印刷される印刷画像のサイズは、実質的に等しい、請求項１に記載のディジタル・フォト・アルバム。
【請求項１１】
印刷画像のサイズは、実質的に６”（インチ）×４”（インチ）である、請求項１０に記載のディジタル・フォト・アルバム。
【請求項１２】
前記プリンタ手段は一体構造のページ幅プリントヘッドを含む、請求項１に記載のディジタル・フォト・アルバム。
【請求項１３】
前記プリントヘッドはインクジェット・プリントヘッドである、請求項１２に記載のディジタル・フォト・アルバム。
【請求項１４】
前記プリントヘッドは実質的に４”（インチ）幅である、請求項１２に記載のディジタル・フォト・アルバム。
【発明の詳細な説明】
【発明の背景】
【０００１】
下記の発明は、内蔵プリンタを有するディジタル・フォト・アルバムに関する。特に本発明は、これに限定するものではないが、ディジタル・フォト・アルバムの本体内に配置されたページ幅のドロップ・オンデマンド型プリントヘッドと印刷媒体供給源とを有するディジタル・フォト・アルバムに関する。
【０００２】
ディジタル・フォト・アルバムは典型的には、一つ以上のディジタル画像が記憶された電子メモリカードを受け入れる携帯型電子装置である。ディジタル・フォト・アルバム内のカードリーダは、カードから画像データを受け取ってディジタル・フォト・アルバムの一部を形成する電子表示画面上に画像を表示する。
【０００３】
このようにしてディジタル・フォト・アルバムは、迅速で任意の表示を考慮した仕方でディジタル画像を運ぶための便利な方法を提供する。更にディジタル・フォト・アルバムは、プログラムされた１セットの特性にしたがって記憶画像を修正する画像処理ソフトウエアを含むことができる。これらの画質改善手法を使用して、テキスト、ラベルなどの追加を可能にするばかりでなく芸術的な効果を作り出すこともできる。画像の改善はまた、明らかな汚れマークといった画像の望ましくない部分を除去することにより、また回転的、振動的修正を行うことによっても可能である。画像処理ハードウエアの例は、われわれの同時係属中の出願ＵＳＳＮ０９／１１２，７８６に見ることができ、その内容は引例によってここに適切に組み込まれている。画像処理ソフトウエアの例は、われわれの同時係属中の出願ＵＳＳＮ０９／１１３，０７０、０９／１１２，７７７、０９／１１３，２２４、０９／１１２，８０４、０９／１１２，７９７、０９／１１２，７９６、０９／１１３，０７１、０９／１１３，０９１、０９／１１２，７５３、０９／１１３，０５５、０９／１１３，０５７、０９／１１３，０５４に見ることができ、これらの内容は引例によってここに適切に組み込まれている。
【０００４】
しかしながら、このような従来技術の携帯型フォト・アルバムの、利点の多くは、もしなにか一つ以上の画像のプリントアウトが必要になれば、失われてしまう。画像を印刷するためには、従来技術のディジタル・フォト・アルバムは、携行すべき追加のケーブルを必要とし、それによってこのフォト・アルバムの携帯性を減じることになる、フォト・アルバムと互換性のある印刷装置に接続しなくてはならない。代替としても、ディジタル・フォト・アルバム内に画像を記憶するディジタル記憶媒体は、画像を読取るための互換性のあるソフトウエアを有し、プリンタに接続された他のコンピュータに乗り換えなくてはならない。上述の代替手段の各々は、これら他の計算装置が直ぐ手近に用意されている場合にだけ実施できる。したがって従来技術のディジタル・フォト・アルバムは未だ、ディジタル画像を運ぶための機能的媒体としての最大潜在能力に到達しようとしているところである。
【発明の目的】
【０００５】
本発明の目的は、上述の不都合の少なくとも一つを克服すること、あるいは実質的に改善することである。
【０００６】
本発明の他の目的は、画像改善機能と内蔵プリンタとを有するディジタル・フォト・アルバムを提供することである。
【０００７】
本発明の更なる目的は、ディジタル・フォト・アルバムを追加の計算装置または印刷装置に接続せずに、改善された印刷画像が得られる画像改善機能を有するディジタル・フォト・アルバムを提供することである。
【０００８】
本発明のなお更なる目的は、写真サイズの画像を印刷できる内蔵プリンタを備えた、画像改善機能を有するディジタル・フォト・アルバムを提供することである。
【発明の開示内容】
【０００９】
ディジタル画像記憶手段と、記憶した画像を修正する手段と、修正された画像を電子的に表示するための画像表示手段と、修正された画像を印刷するための内蔵プリンタ手段と、ユーザが前記画像記憶手段に記憶された修正画像を選択的に表示して印刷することを可能にする画像制御手段と、を含むディジタル・フォト・アルバム（ディジタル写真帳）がここに開示される。
【００１０】
好ましくは、画像は、あらかじめプログラムされた１セットの特性にしたがって修正される。
【００１１】
好ましくは、前記あらかじめプログラムされた１セットの特性は、取外し可能な媒体に記憶される。
【００１２】
好ましくは、ディジタル画像は、取外し可能なメモリ媒体に記憶される。
【００１３】
好ましくは、前記プリンタ手段は、ディジタル・フォト・アルバムの本体に収容されており、前記本体は画像記憶媒体も収容しており、表示画面に接続されている。
【００１４】
好ましくは、前記プリンタは、前記本体内に印刷媒体供給源を含む。
【００１５】
好ましくは、前記プリンタのプリントヘッドは、一体構造のページ幅プリントヘッドである。
【００１６】
好ましくは、このプリントヘッドは、インクジェット・プリントヘッドである。
【００１７】
好ましくは、本ディジタル・フォト・アルバムは、前記プリンタを動作させるための手段を含む制御パネルを含む。
【００１８】
好ましくは、前記プリンタは、前記ディジタル・フォト・アルバムが水平面に置かれたときに前記制御パネルが水平面に対して実質的に傾斜するように前記本体内に配置される。
【００１９】
好ましくは、前記本体は、前記印刷媒体および／またはインク・カートリッジを含むプリンタの一部を取外し可能にする解放可能なカバー部を含む。
【好適な実施例の説明】
【００２０】
本発明を、これから添付の図面を参照し、例を挙げて説明する。
【００２１】
添付図面の図１〜図１０において参照数字５００は、一般に本発明によるプリントエンジンを表す。このプリントエンジン５００は、プリント・ロール・カートリッジ５０４が取外し可能に装着されるプリントエンジン・アセンブリ５０２を含んでいる。
【００２２】
プリント・カートリッジ５０４は、われわれの同時係属中の出願ＰＣＴ／ＡＵ００／００７４１とＰＣＴ／ＡＵ００／００７４２とに更に詳細に説明されており、その開示内容は引例によってここに特定的に組み入れられている。
【００２３】
プリントエンジン・アセンブリ５０２は、第１のサブアセンブリ５０６と第２のプリントヘッド・サブアセンブリ５０８とを含んでいる。
【００２４】
サブアセンブリ５０６は、シャーシ５１０を含んでいる。シャーシ５１０は、インク供給管路５１４が成型された第１のモールディング５１２を備えている。インク供給管路５１４は、プリント・カートリッジ５０４からプリントヘッド・サブアセンブリ５０８のプリントヘッド５１６（図５〜図７）にインクを供給する。プリントヘッド５１６は、４色または３色プラス赤外光スペクトルでだけ見ることのできるインク（今後、「赤外線インク」と称する）で印刷する。したがって、モールディング５１２内には、空気供給管路５１８と共に４本のインク供給管路５１４が画定されている。空気供給管路５１８は、プリントヘッド５１６のノズル・ガードへの異物粒子の集積を抑制するためにプリントヘッド５１６に空気を供給する。
【００２５】
シャーシ５１０は更に、カバー・モールディング５２０を含んでいる。カバー・モールディング５２０は、その上にポンプ５２２を支持している。ポンプ５２２は、吸込みポンプであって、空気入口ピン５２４と空気入口開口部５２６とを介して、プリント・カートリッジ５０４内の空気フィルタを通して空気を引き込む。空気は、出口開口部５２８を通してシャーシ５１０の空気供給管路５１８内に放出される。
【００２６】
シャーシ５１０は更に、ステッピング・モータ５３０の形をした第１の駆動モータを支持している。このステッピング・モータ５３０は、第１の歯車列５３２を介してポンプ５２２を駆動する。ステッピング・モータ５３０はまた、第２の歯車列５３８を介してプリント・カートリッジ５０４のローラ・アセンブリ５３６の駆動ローラ５３４（図５）に接続されている。歯車列５３８は、駆動ローラ５３４の端部に保持された係合可能要素５４０（図２）に係合する。こうしてステッピング・モータ５３０は、印刷媒体５４２がプリントヘッド５１６の下を通過するときにプリント媒体５４２上に画像が印刷されるのを可能にするためにサブアセンブリ５０８のプリントヘッド５１６への印刷媒体５４２の送りを制御する。ステッピング・モータ５３０は印刷媒体５４２を進めるためにだけ作動するので、ポンプ５２２は印刷媒体５４２に印刷が行われるときにプリントヘッド５１６の上に空気を吹き付けるためにだけ動作可能である点に留意されるべきである。
【００２７】
シャーシ５１０のモールディング５１２はまた、インク供給管路５１４に連通しているピン５４４の形の、複数のインク供給導管を支持している。インク供給ピン５４４は、供給されるべきプリント・カートリッジ５０４内のインク・チャンバあるいはインクだめ５４８（図５）からプリントヘッド５１６へインクを引くためにプリント・カートリッジ５０４のエラストマー・カラー・アセンブリ５４６を通して受けられる。
【００２８】
第２のモータ５５０は、ＤＣモータであって、クリップ５５２を介してシャーシ５１０のカバー・モールディング５２０上で支持される。モータ５５０は、画像が一片の印刷媒体５４２に印刷された後にその一片の印刷媒体を印刷媒体の残余部分から切り離すためにカッター・アーム・アセンブリ５５４の形の分離手段を駆動するために設けられている。モータ５５０は、その出力シャフト上に傘歯車５５６を担持している。傘歯車５５６は、カッター・アセンブリ５５４のウォーム歯車５６０上に担持された傘歯車５５８と係合する。ウォーム歯車５６０は、プリントヘッド・サブアセンブリ５０８のシャーシ底板５６４に軸受け５６２を介して回転可能に支持される。
【００２９】
カッター・アセンブリ５５４は、取付けブロック５７０上の弾力的に柔軟なアーム５６８上に支持されたカッター・ホイール５６６を含んでいる。ウォーム歯車５６０は、このウォーム歯車５６０が回転するとき取付けブロック５７０とカッター・ホイール５６６とがシャーシ底板５６４を横断するように、この取付けブロック５７０を貫通している。取付けブロック５７０は、ウォーム歯車５６０に対する取付けブロック５７０の回転を抑止するように底板５６４のリップ５７２に支えられている。更に、印刷媒体５４２の切断を効果的に行うために、カッター・ホイール５６６は、プリントヘッド・サブアセンブリ５０８の上部ハウジングあるいはキャップ部５７４に押えられている。このキャップ部５７４は、金属部分である。したがってカッター・ホイール５６６がキャップ部５７４を横断して行くにつれて、印刷媒体には、画像が印刷された印刷媒体５４２のその部分を分離するように、はさみのような切断動作が加えられる。
【００３０】
サブアセンブリ５０６は、排出機構５７６を含む。排出機構５７６は、シャーシ５１０に担持されており、排出機構５７６をシャーシ５１０にクリップして取り付けるクリップ５８０を有するカラー５７８を持っている。カラー５７８は、その中にエラストマー材料のインサート５８２を支持している。このエラストマー・インサート５８２は、複数の開口部５８４を画定している。これらの開口部５８４は、異物粒子のピン５４４、管路５１４およびプリントヘッド５１６内への侵入を抑止するためにピン５４４の入口開口部を閉鎖する。更に、インサート５８４は、同じ目的のために空気入口ピン５２４の入口開口部を閉鎖するランドあるいはプラットフォーム５８６を画定している。
【００３１】
図３に更に詳細に示すようにカートリッジ５０４がプリントエンジン５００から取り外されるときカラー５７８をシャーシ５１０に対して間隔をあけた位置に押しやるために、シャーシ５１０とカラー５７８との間にコイル・スプリング５８８が配置されている。排出機構５７６は、図４に、引っ込んだ位置で示されている。
【００３２】
プリントヘッド・サブアセンブリ５０８は、前述のように底板５６４を含んでいる。キャッピング機構５９０は、プリントヘッド５１６に対して近づいたり遠ざかったり変位可能であるように底板５６４上に変位可能に支持される。このキャッピング機構５９０は、キャリア５９３上に配置された細長いリブ５９２を含んでいる。このキャリアは、プリントヘッド５１６が動作していないときにリブ５９２をプリントヘッド５１６と接触するように変位させる変位機構５９４によって支持されている。逆にプリントヘッド５１６が動作しているときには、変位機構５９４はリブ５９２をプリントヘッドから離して引っ込めるように動作する。
【００３３】
プリントヘッド・アセンブリ５０８は、プリントヘッド５１６が取り付けられるプリントヘッド支持モールディング５９６を含んでいる。このモールディング５９６は、モールディング５９６内に配置されたインサート５９９と共に、画像が印刷されるときに印刷媒体が通過する通路５９８を画定する。モールディング５９６には、キャッピング機構５９０がキャッピング位置に在るときにキャッピング機構５９０が突き出る溝７００が画定されている。
【００３４】
インク供給機構７０２は、キャップ部５７４の下のインサート５９９によって支持される。このインク供給機構７０２は、脊梁部７０４とこの脊梁部７０４に取り付けられるケーシング７０６とを備えている。この脊梁部７０４とケーシング７０６は、この両者の間に、通路７１０（図７）を介してインクをプリントヘッド５１６に供給するためにシャーシ５１０内のインク供給管路５１４に連通するインク供給回廊７０８を画定している。
【００３５】
脊梁部７０４には、プリントヘッド５１６に沿って空気供給管路７１１（図８）が画定されている。
【００３６】
電気信号は、インサート５９９とインク供給機構７０２との間に捕捉保持されたＴＡＢフィルム７１２を介してプリントヘッド５１６に与えられる。
【００３７】
モールディング５９６は、角度付き翼部７１４を含んでいる。柔軟なプリント回路基板（ＰＣＢ）７１６は、この翼部７１４に支持・固定されている。可撓ＰＣＢ７１６は、インサート５９９のリブ７１８を介してＴＡＢフィルム７１２と係合するように押されることによってＴＡＢフィルム７１２と電気的に接触する。可撓ＰＣＢ７１６は、その上にバスバー７２０を支持している。このバスバー７２０は、プリントヘッド５１６とプリントエンジン５００の他の電力供給される構成要素とに電力を供給する。更に、カートリッジ５０４がプリントエンジン５００に整合してこれに従うことを認証するＱＡチップ（図示せず）と共に、可撓ＰＣＢ７１６上にはカメラ・プリントエンジン制御チップ７２１が支持されている。この目的のためにＰＣＢ７１６は、プリント・カートリッジ５０４のコンタクト７２５に係合するコンタクト７２３を含む。
【００３８】
図７に更に明らかに示すように、プリントヘッド自身は、シリコン・ウェーハ７２４上に配置されたノズル・ガード７２２を含んでいる。インクは、インク供給部材７２６を介してプリントヘッド５１６のノズル・アレイ（図示せず）に供給される。インク供給部材７２６は、要求時にプリントヘッド５１６のノズルのアレイにインクを供給するためにインク供給機構７０２の通路７１０の出口に連通している。
【００３９】
図１０には、プリントヘッド５１６に空気を供給するための空気供給経路がより詳細に示されている。図示のようにポンプ５２２は、端部キャップ７３０によって閉鎖されたインペラー７２８を含んでいる。シャーシのカバー・モールディング５２０は、インペラー７２８のための受け口７３２を形成する。カバー・モールディング５２０は、空気入口開口部７３４と空気出口開口部７３６とを持っている。空気入口開口部７３４は、ピン５２４と連通している。空気出口開口部７３６は、図１０に黒い実線で示された空気供給管路５１８に空気を供給する。空気供給管路５１８から供給された空気は、プリントヘッドの清掃を実施するためにプリントヘッド５１６内に吹き込まれる。ポンプ５２２を介して引き込まれた空気は、プリント・カートリッジ５０４に収容された空気フィルタ７３８によって濾過される。空気フィルタ７３８は、紙ベースであってもよく、他の適当な濾過媒体で作られていてもよいフィルタ要素７４０を持っている。このフィルタ要素７４０は、基部７４２と蓋７４４とを有する缶内に収容される。蓋７４４は、そこに画定された開口部７４６を持っている。開口部７４６は、ピン５２４が刺し込まれるフィルム７４８によって閉鎖されている。プリント・カートリッジ５０４に空気フィルタを持つことの利点は、プリント・カートリッジ５０４が交換されるときに空気フィルタ７３８も交換されることである。
【００４０】
プリントヘッド５１６への印刷媒体の供給も制御すステッピング・モータ５３０によって空気ポンプ５２２が駆動されることは、本発明の利点である。このようにすることにおいて更にコンパクトにするプリントエンジン５００のために必要とされる部品は更に少なくなる。更に、空気ポンプ５２２を動作させることとプリントヘッド５１６に印刷媒体５４を供給することとのために同じモータ５３０が使用されるので、よりコンパクトに、また製造コストをより安価にするプリントエンジン５００には、より少ない電力消費の構成要素が含まれることになる。
【００４１】
プリントエンジン５００を更にコンパクトにするためにはプリントエンジン・アセンブリ５０２のサイズは、このアセンブリ５０２の構成要素の大部分がプリント・カートリッジ５０４の端部のフットプリント（足跡）内に受け入れられる程度であることにも留意すべきである。
【００４２】
図１１には、内蔵プリンタを有するディジタル・フォト・アルバムが示されている。ディジタル・フォト・アルバム９０１は、プリンタとフォト・アルバムの主要回路とを収容する本体部９０２を含む。好ましくは写真サイズ、すなわち６”（インチ）×４”（インチ）の表示画面９０４は、ヒンジ継手９０５の周りに旋回可能に本体部９０２に連結されている。画面９０４は、画面が本体部９０２に隣接しており、これによって安全な携行を可能にする、閉じた位置（図１２）と画面９０４がユーザの目に見える、開いた位置（図１１）との間で回転する。
【００４３】
本体部９０２の側面には、ディジタル画像を記憶するメモリカード９０９を受け入れるための第１のスロット９０８が配置されている。第２のスロット９１５は、１セットの画像改善特性を入れた画像改善カード９１６を受け入れる。本体９０２内には、記憶された画像データをメモリカード９０８から検索するために使用されるメモリカード９０８と互換性のあるメモリカードリーダ（図示せず）がある。類似のカードリーダは、画像改善カード９１６から画像改善特性を検索する。
【００４４】
画像改善カード内にプログラムされた特性は、例えば標準の背景またはテキストを付加することによって、あるいは、ぼかし、複写、カラー修正などによって、多くの既知の方法のうちの一つ以上の方法で画像を修正できる。
【００４５】
本体部９０２は、プリンタの機能を含むフォト・アルバムの機能を操作するために必要なすべてのボタンを含む制御パネル９０６をその上面に含んでいる。この制御パネルを使用してユーザは、メモリカード９０９に記憶された画像のどれでも選択的に見ることができ、またプログラムされた画像改善ソフトウエアを使用して画像を処理し、テキストおよび／またはラベルを追加し、表示または記憶された画像のどれでも選択的に印刷できる。
【００４６】
本体の前面エッジのスロット９１０は、印刷された画像を排出するために使用される。
【００４７】
図１４には内蔵プリンタを有するディジタル・フォト・アルバムの基本的内部構成要素がブロック図形式で模式的に示されている。このプリンタは典型的には、図１〜図１０を参照して前に説明したものと同じであり得る一体構造のプリントヘッド８１４を利用するが、代替として写真サイズの印刷媒体に印刷できる他のコンパクトなプリントヘッドであってもよい。メモリカード９０９からの画像データは、画像改善処理８１５を介して表示画面９０４に移動する。表示画面９０４または改善処理８１５からの画像は、プリントヘッド８１４を制御するプリントエンジン・コントローラ８１３に送られる。
【００４８】
プリントエンジン・コントローラに接続されたマイクロコントローラ８０７は、媒体搬送装置８１０を駆動するモータ・ドライバ８０９を制御する。これは、前述のステッピング・モータ５３０と同じものでもよい。
【００４９】
マイクロコントローラ８０７はまた、画像が印刷された後に内蔵ロールの印刷媒体から印刷済みのシート一枚を切り離すようにギロチン・モータ８１２を制御するモータ・ドライバ８１１を制御する。媒体搬送装置８１０によって駆動される一枚のシートは、図１１に９２０で示されている。ギロチンは、前述のカッター・ホイール５６６の形でよい。
【００５０】
用意ができたら、制御パネルのプリンタ制御ボタンを押して、プリントエンジン・コントローラを起動し、メモリから、あるいは表示画面からの画面ダンプとして、修正済み画像を印刷することができる。これは順に、マイクロコントローラ８０７を起動して媒体搬送装置８１０とギロチン８１２とを起動するであろう。
【００５１】
図１２は、閉じた位置にあるディジタル・フォト・アルバムの内面図を示す。前述のプリンタエンジン５００は、印刷媒体５４２が印刷媒体排出スロット９１０に導かれながら通過する印刷媒体通路５９８を有する本体部９０２の後部エッジの方に配置されている。プリンタエンジン、また特にプリント・ロール・カートリッジ５０４は本体内の最大の構成要素であるので、本体の後部の方にプリントエンジン５００を配置することは結果的に、フォト・アルバムが水平面上に置かれたときに制御パネルが傾斜するというユーザに快適な構成をもたらす。
【００５２】
本体部９０２は、ヒンジ９１３を介して旋回可能に連結され、キャッチ９１４によって閉じた位置に固定される解放可能な部分９１２を含んでいる。この部分を開くこと（図１３）は、プリント・ロール・カートリッジ５０４が取り外されることを可能にする。取外し可能なプリント・ロール・カートリッジの詳細は、前述の出願人の、同時係属中の出願書類第ＣＡ０２号に記載されている。
【００５３】
画面９０４のサイズは、表示画像と印刷画像とが等しいサイズになるようにプリントヘッドの幅に合わせられている。好ましくは、画面は、正規の６”（インチ）×４”（インチ）写真の画像を表示し、プリンタは４”（インチ）プリントヘッドを使用する。
【００５４】
本発明の特定の実施例が説明されてきたが、本発明がその基本的特徴から逸脱することなく他の特定の形に実現可能であることは当業者にとって明らかであろう。したがって本実施形態と実施例とは、あらゆる点で例示的なものであって、限定的なものではないと見做されるべきであり、本発明の範囲は前述の説明よりもむしろ付属の請求項によって示されており、またしたがってこれらの請求項と同意儀の意味と範囲内に入るすべての改変は、この中に含まれると意図されている。更に、ここに述べた既知の従来技術への如何なる参照も、反対の指示が現れなければ、このような従来技術は本発明が関係する当業者によって一般に知られているという容認を構成しないということは理解されるであろう。
【図面の簡単な説明】
【００５５】
【図１】本発明による構成要素を含むプリントエンジンの三次元図である。
【図２】プリントエンジンの三次元的分解図である。
【図３】プリントエンジンで使用される取外し可能なプリント・カートリッジを取外したプリントエンジンの三次元図である。
【図４】点線で示されるプリント・カートリッジを有するプリントエンジンの三次元的背面図である。
【図５】プリントエンジンの三次元的断面図である。
【図６】プリントエンジンのプリントヘッド・サブアセンブリの三次元的分解図である。
【図７】プリントヘッド・サブアセンブリの部分切断図である。
【図８】キャッピング位置にあるキャッピング機構を有するプリントヘッド・サブアセンブリの端部断面図である。
【図９】アンキャップ（キャップを外した）位置にあるキャッピング機構を有するプリントヘッド・サブアセンブリを示す図である。
【図１０】プリントエンジンの空気供給機構の三次元的分解図である。
【図１１】内蔵プリンタを有するディジタル・フォト・アルバムを示す図である。
【図１２】内蔵プリンタを有するディジタル・フォト・アルバムの内部構成要素を示す図である。
【図１３】解放可能なカバー部を有するディジタル・フォト・アルバムを示す図である。
【図１４】内蔵プリンタを有するディジタル・フォト・アルバムに組み込まれた構成要素の模式的ブロック図である。
【符号の説明】
【００５６】
５００…プリントエンジン、５０４…プリント・ロール・カートリッジ、５４２…印刷媒体、９０２…本体部、９０４…表示画面、９０５…ヒンジ継手、９０６…制御パネル、９１０…スロット、９１２…解放可能な部分、９１３…ヒンジ、９１４…キャッチ、９２０…印刷媒体シート。
【国際公開パンフレット】
2004524737.tif 000003
2004524737.tif 000004
2004524737.tif 000005
2004524737.tif 000006
2004524737.tif 000007
2004524737.tif 000008
2004524737.tif 000009
2004524737.tif 000010
2004524737.tif 000011
2004524737.tif 000012
2004524737.tif 000013
2004524737.tif 000014
2004524737.tif 000015
2004524737.tif 000016
2004524737.tif 000017
2004524737.tif 000018
2004524737.tif 000019
2004524737.tif 000020
2004524737.tif 000021
2004524737.tif 000022
2004524737.tif 000023
2004524737.tif 000024
2004524737.tif 000025
2004524737.tif 000026
【国際調査報告】
2004524737.tif 000027
2004524737.tif 000028